(57)【要約】【課題】光透過性表示装置として利用することが可能であるような電気泳動表示装置を提供すること。【解決手段】それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、一方の基板上に所定のパターンで各種の電極が形成されており、他方の基板上には透明な電極が形成されており、各種の電極が形成された一方の基板上に所定のパターンで透明な隔壁が形成されており、前記隔壁で区画された各領域をセルとして、当該セル内に前記表示媒体を有しており、前記隔壁の頂面に他方の基板が接着されており、ＪＩＳ−Ｋ７３６１に基づく一方の基板から他方の基板までの全光線透過率が、３０％以上であることを特徴とする。【選択図】図８
2013210536.tif 000002
【特許請求の範囲】
【請求項１】
それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、
一方の基板上に所定のパターンで各種の電極が形成されており、
他方の基板上には透明な電極が形成されており、
各種の電極が形成された一方の基板上に所定のパターンで透明な隔壁が形成されており、
前記隔壁で区画された各領域をセルとして、当該セル内に前記表示媒体を有しており、
前記隔壁の頂面に他方の基板が接着されており、
ＪＩＳ−Ｋ７３６１に基づく一方の基板から他方の基板までの全光線透過率が、３０％以上である
ことを特徴とする電気泳動表示装置。
【請求項２】
それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、
一方の基板上に所定のパターンで各種の電極が形成されており、
他方の基板上には透明な電極が形成されており、
各種の電極が形成された一方の基板上に所定のパターンで透明な隔壁が形成されており、
前記隔壁で区画された各領域をセルとして、当該セル内に前記表示媒体を有しており、
前記隔壁の頂面に他方の基板が接着されており、
ＪＩＳ−Ｋ７１３６に基づくヘイズが、１．７％以下である
ことを特徴とする電気泳動表示装置。
【請求項３】
それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、
一方の基板上に所定のパターンで各種の電極が形成されており、
他方の基板上には透明な電極が形成されており、
各種の電極が形成された一方の基板上に所定のパターンで透明な隔壁が形成されており、
前記隔壁で区画された各領域をセルとして、当該セル内に前記表示媒体を有しており、
前記隔壁の頂面に他方の基板が接着されており、
一方の基板の透明部分、透明な隔壁、他方の基板上の透明な電極、及び、他方の基板の透明部分が重なってなる透明積層部分が、全面積に対して３０％以上を占めている
ことを特徴とする電気泳動表示装置。
【請求項４】
ＪＩＳ−Ｋ７３６１に基づく一方の基板から他方の基板までの全光線透過率が、３０％以上である
ことを特徴とする請求項３に記載の電気泳動表示装置。
【請求項５】
ＪＩＳ−Ｋ７１３６に基づくヘイズが、１．７％以下である
ことを特徴とする請求項３または４に記載の電気泳動表示装置。
【請求項６】
それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、
一方の基板上に所定のパターンで透明な画素電極を含む各種の電極が形成されており、
他方の基板上には透明な電極が形成されており、
透明な画素電極を含む各種の電極が形成された一方の基板上に所定のパターンで透明な隔壁が形成されており、
前記隔壁で区画された各領域をセルとして、当該セル内に前記表示媒体を有しており、
前記隔壁の頂面に他方の基板が接着されており、
一方の基板の透明部分、透明な画素電極及び／または透明な隔壁、他方の基板上の透明な電極、及び、他方の基板の透明部分が重なってなる透明積層部分が、全面積に対して３０％以上を占めている
ことを特徴とする電気泳動表示装置。
【請求項７】
ＪＩＳ−Ｋ７３６１に基づく一方の基板から他方の基板までの全光線透過率が、３０％以上である
ことを特徴とする請求項６に記載の電気泳動表示装置。
【請求項８】
ＪＩＳ−Ｋ７１３６に基づくヘイズが、１．７％以下である
ことを特徴とする請求項６または７に記載の電気泳動表示装置。
【発明の詳細な説明】
【技術分野】
【０００１】
本発明は、電子ペーパー等に応用されている電気泳動表示装置に関する。
【背景技術】
【０００２】
電気泳動表示装置は、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置では、しかし、粒子の沈降や偏在に起因して、表示の不良、特にコントラストの低下が生じることがある。この現象を防止するべく、上下の電極基板間に隔壁を形成して、電気泳動する粒子の泳動空間、すなわち移動空間を微小な空間に分割することが採用されている。この微小な空間は、セルあるいは画素と呼ばれている。各セルの中に、電気泳動体を含むインキ（表示媒体）が封入されている。例えば特許文献１（特開２００５−２０２２４５号公報）には、そのようなタイプの電気泳動表示装置の従来例が開示されている。
【０００５】
また、本件出願人による特許文献２（特開２０１２−０１３７９０号公報）には、セルを区画する隔壁上にのみ接着剤を塗工し、隔壁と基板との接着を確実にする方法が開示されている。
【先行技術文献】
【特許文献】
【０００６】
【特許文献１】特開２００５−２０２２４５号公報
【特許文献２】特開２０１２−０１３７９０号公報
【発明の概要】
【発明が解決しようとする課題】
【０００７】
一般に、電気泳動体を含むインキ（表示媒体）は不透明であるため、電気泳動表示装置の全体についても不透明なものとして認知されており、従来の電気泳動表示装置は、例えばショーウィンドウやコンビニの窓に貼られる光透過性表示装置として用いられることはなかった。
【０００８】
本件発明者は、電気泳動表示装置を光透過性表示装置として利用することの可否について、鋭意の検討を重ねた。検討の過程で、電気泳動体を含むインキ（表示媒体）が不透明であることの他に、基板上にパターン形成される各種の電極も通常は不透明であり、光透過性表示装置として利用することを阻害するものであることが知見された。
【０００９】
本発明は、このような事情に基づいて行われたものであり、その目的は、光透過性表示装置として利用することが可能であるような電気泳動表示装置を提供することにある。
【課題を解決するための手段】
【００１０】
本発明は、それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、一方の基板上に所定のパターンで各種の電極が形成されており、他方の基板上には透明な電極が形成されており、各種の電極が形成された一方の基板上に所定のパターンで透明な隔壁が形成されており、前記隔壁で区画された各領域をセルとして、当該セル内に前記表示媒体を有しており、前記隔壁の頂面に透明な電極が形成された側の他方の基板が接着されており、ＪＩＳ−Ｋ７３６１に基づく一方の基板から他方の基板までの全光線透過率が、３０％以上であることを特徴とする電気泳動表示装置である。
【００１１】
本件発明者の検討によれば、隔壁を透明材料で構成することで、ＪＩＳ−Ｋ７３６１に基づく一方の基板から他方の基板までの全光線透過率を３０％以上とすることができる。そのような電気泳動表示装置は、透明の表示装置として、例えばショーウィンドウやコンビニの窓に貼られる光透過性表示装置として用いられ得る。さらに、一方の基板上に形成された各種の電極のうち不透明なものと表示媒体とが平面視で重なるように設計することで、透明性を高めることができ、電気配線が金属配線である場合には当該金属配線における光反射によるコントラストの低下を抑制することもできるため、表示特性を更に改善することができる。
【００１２】
なお、本件の明細書及び特許請求の範囲においては、「透明」という用語は、光透過性を呈するという意味で用いられており、光透過性の程度は問わない。すなわち、いわゆる半透明と呼ばれる程度であっても、「透明」の一態様として理解されるべきである。また、「透明」という性質は、必ずしも均一な素材によって提供される態様に限定されず、例えば不透明な不純物が部分的に混入しているような場合でも全体として光透過性を呈するのであれば、やはり「透明」の一態様として理解されるべきである。
【００１３】
あるいは、本発明は、それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、一方の基板上に所定のパターンで各種の電極が形成されており、他方の基板上には透明な電極が形成されており、各種の電極が形成された一方の基板上に所定のパターンで透明な隔壁が形成されており、前記隔壁で区画された各領域をセルとして、当該セル内に前記表示媒体を有しており、前記隔壁の頂面に透明な電極が形成された側の他方の基板が接着されており、ＪＩＳ−Ｋ７１３６に基づくヘイズが、１．７％以下であることを特徴とする電気泳動表示装置である。
【００１４】
本件発明者の検討によれば、隔壁を透明材料で構成することで、ＪＩＳ−Ｋ７１３６に基づくヘイズを１．７％以下とすることができる。そのような電気泳動表示装置は、透明な表示装置として、例えばショーウィンドウやコンビニの窓に貼られる光透過性表示装置として用いられ得る。さらに、一方の基板上に形成された各種の電極のうち不透明なものと表示媒体とが平面視で重なるように設計することで、透明性を高めることができ、電気配線が金属配線である場合には当該金属配線における光反射によるコントラストの低下を抑制することもできるため、表示特性を更に改善することができる。
【００１５】
あるいは、本発明は、それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、一方の基板上に所定のパターンで各種の電極が形成されており、他方の基板上には透明な電極が形成されており、各種の電極が形成された一方の基板上に所定のパターンで透明な隔壁が形成されており、前記隔壁で区画された各領域をセルとして、当該セル内に前記表示媒体を有しており、前記隔壁の頂面に透明な電極が形成された側の他方の基板が接着されており、一方の基板の透明部分、透明な隔壁、他方の基板上の透明な電極、及び、他方の基板の透明部分が重なってなる透明積層部分が、全面積に対して３０％以上を占めていることを特徴とする電気泳動表示装置である。
【００１６】
本件発明者の検討によれば、隔壁を透明材料で構成することで、一方の基板の透明部分、透明な隔壁、他方の基板上の透明な電極、及び、他方の基板の透明部分が重なってなる透明積層部分を全面積に対して３０％以上とすることができる。そのような電気泳動表示装置は、透明な表示装置として、例えばショーウィンドウやコンビニの窓に貼られる光透過性表示装置として用いられ得る。さらに、一方の基板上に形成された各種の電極のうち不透明なものと表示媒体とが平面視で重なるように設計することで、透明性を高めることができ、電気配線が金属配線である場合には当該金属配線における光反射によるコントラストの低下を抑制することもできるため、表示特性を更に改善することができる。
【００１７】
あるいは、本発明は、それぞれが透明な対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置であって、一方の基板上に所定のパターンで透明な画素電極を含む各種の電極が形成されており、他方の基板上には透明な電極が形成されており、透明な画素電極を含む各種の電極が形成された一方の基板上に所定のパターンで透明な隔壁が形成されており、前記隔壁で区画された各領域をセルとして、当該セル内に前記表示媒体を有しており、前記隔壁の頂面に透明な電極が形成された側の他方の基板が接着されており、一方の基板の透明部分、透明な画素電極及び／または透明な隔壁、他方の基板上の透明な電極、及び、他方の基板の透明部分が重なってなる透明積層部分が、全面積に対して３０％以上を占めていることを特徴とする電気泳動表示装置である。
【００１８】
本件発明者の検討によれば、隔壁及び画素電極を透明材料で構成することで、一方の基板の透明部分、透明な画素電極及び／または透明な隔壁、他方の基板上の透明な電極、及び、他方の基板の透明部分が重なってなる透明積層部分を全面積に対して３０％以上とすることができる。そのような電気泳動表示装置は、透明な表示装置として、例えばショーウィンドウやコンビニの窓に貼られる光透過性表示装置として用いられ得る。さらに、一方の基板上に形成された各種の電極のうち不透明なものと表示媒体とが平面視で重なるように設計することで、透明性を高めることができ、電気配線が金属配線である場合には当該金属配線における光反射によるコントラストの低下を抑制することもできるため、表示特性を更に改善することができる。
【発明の効果】
【００１９】
本発明に従う電気泳動表示装置は、透明な表示装置として、例えばショーウィンドウやコンビニの窓に貼られる光透過性表示装置として用いられ得る。
【図面の簡単な説明】
【００２０】
【図１】図１は、本発明の一実施の形態による電気泳動表示装置の製造方法を概略的に示すフロー図である。
【図２】図２は、隔壁形成工程の一例を概略的に示す図である。
【図３】図３は、接着層形成工程の一例を概略的に示す図である。
【図４】図４は、表示媒体配置工程の一例を概略的に示す図である。
【図５】図５は、導電性ペーストの機能を説明するための概略図である。
【図６】図６は、他方基板接着工程の一例を概略的に示す図である。
【図７】図７は、本発明の一実施の形態による電気泳動表示装置の構成を示す概略図である。
【図８】図８は、本発明の他の実施の形態による電気泳動表示装置の構成を示す概略図である。
【発明を実施するための形態】
【００２１】
図１乃至図６において、一方の基板１１の上面と他方の基板１６の上面には、それぞれ電極パターンが設けられているが、それら電極パターンの図示は省略されている。
【００２２】
図１は、本発明の一実施の形態による電気泳動表示装置の製造方法を概略的に示すフロー図である。図２は、隔壁形成工程の一例を概略的に示す図である。図２に示すように、まず、一般には水平方向に載置される一方の基板１１（バックプレーン基材（ＢＰ））の上面に、例えばフォトリソグラフィ法（紫外線（ＵＶ）照射による露光→現像→焼成）によって、所定のパターンの隔壁１２が形成される。一方の基板１１（バックプレーン基材（ＢＰ））には、予め、所定の電極パターンが形成されている。当該電極パターンの詳細については、図７及び図８を参照して後に詳述される。隔壁１２は、電極パターンが形成された側の一方の基板１１上に形成される。隔壁１２は、後述する複数のセルの下面と側面とを規定する部材である。隔壁の厚みは、５〜５０μｍ、好ましくは８〜３０μｍである。セルのサイズは、表示パネルの大きさにもよるが、０．０５〜１ｍｍピッチ、好ましくは０．１〜０．５ｍｍピッチである。
【００２３】
次に、隔壁１２上に接着層が形成される（接着層形成工程）。図３は、接着層形成工程の一例を概略的に示す図である。図３に示す接着層形成工程では、まず、例えばポリエチレンテレフタレート（ＰＥＴ）フィルムからなる転写フィルム基材２１にヒートシール剤２２（以下、「接着層」とも言う。）が塗工されることによって、転写フィルム２０が作成される。ヒートシール剤２２は、１〜１００μｍの厚みで塗工される。好ましくは、１〜５０μｍの厚みで塗工され、特に好ましくは、１〜１０μｍの厚みで塗工される。ヒートシール剤２２は、後述するように、熱可塑性樹脂によって構成されている。
【００２４】
そして、そのような転写フィルム２０のヒートシール剤側の面が、隔壁１２上に載せられ、転写フィルム２０の自重のみがかかる状態で、あるいは、さらに所定の押圧力を受けながら、その軟化温度を超える温度にまで加熱される（加熱貼合：熱転写）。その後、転写フィルム２０を剥離すると、ヒートシール剤２２が隔壁１２上に熱転写された状態で残る。
【００２５】
本実施の形態においては、隔壁１２の頂面の全面にヒートシール剤２２が熱転写される。熱転写時の押圧力としては、例えば１ｋＰａ程度が好ましい。押圧力が小さいと、転写フィルムからのヒートシール剤の転写が不十分である。一方、押圧力が大き過ぎると、ヒートシール剤が潰れてセル内に入り込んでしまったり、隔壁パターン以外のヒートシール剤をも転写されてしまう可能性がある。また、熱転写時の加熱温度は、１２０℃程度が好ましい。
【００２６】
図１に戻って、接着層（ヒートシール剤）２２が形成された後に、隔壁１２または隔壁１２及び接着層２２で区画された各領域に、表示媒体としてのインキ１３が配置される（表示媒体配置工程）。図４は、表示媒体配置工程の一例を概略的に示す図である。ここでは、（１）ディスペンサ３１あるいはインクジェット、ダイコートからインキ１３が滴下され、（２）中央スキージ３２あるいはドクターブレード、ドクターナイフによって面内均一となるようにインキ１３が塗工され、（３）更に両端スキージ３３ａ、３３ｂあるいはドクターブレード、ドクターナイフによって、はみ出た余剰インキが掻き取られ、（４）最後にワイパ３４によって、一辺側に集まった余剰インキが拭き取られる。
【００２７】
図１に戻って、表示媒体配置工程の後で、導電性ペースト塗布工程が実施される。図５は、導電性ペーストの機能を説明するための概略図である。導電性ペースト１４は、例えば銀ペーストのような金属ペーストであり、例えばディスペンサ４１あるいはインクジェット、タンポ印刷、パット印刷、スタッピング印刷によって所定位置に塗布される。導電性ペースト１４は、図５に示すように、他方の基板１６（フロントプレーン基材（ＦＰ））に電圧をかけるための配線として機能する。一方の基板１１の電極パターンと他方の基板１６の電極パターンとの間に所定の電界（電圧）が与えられる際、表示媒体であるインキ１３中の電気泳動粒子が駆動され、文字パターン等の所定の情報が表示される。その後、電界が与えられなくなっても、新たな電界が両基板間に与えられるまで、当該情報表示状態が維持される。
【００２８】
その後、隔壁１２上の接着層２２上に、一方の基板１１に対して対向する他方の基板１６が接着される（他方基板接着工程）。これにより、複数のセルの各上面が規定されて、表示媒体（インキ１３）が各セル内に封止される。他方の基板１６には、その全面に、予め透明な電極層が形成されており、当該電極層が形成された側の面が接着層２２に接着される。
【００２９】
他方基板接着工程は、例えば図６に示すように、接着層として転写されたヒートシール剤２２を加熱させて接着力を得るようになっている。具体的には、ラミネータ９１によって所定の熱圧着圧力、すなわちラミネート圧力を付与しながら、ヒートシール剤２２を周辺からその軟化温度を超える温度にまで加熱して軟化させることによって、隔壁１２と他方の基板１６とを接着する。
【００３０】
更に、本実施の形態では、ラミネータ９１による接着の後で、さらに両基板１１、１６の四辺（周辺部）を熱圧着する四辺熱圧着工程が実施される。具体的には、両基板１１、１６の四辺（周辺部）の下方にホットプレート９２を敷いておいて、両基板１１、１６の四辺部を内側から外側に金属片９３でラミネート圧を加えることで実施される。
【００３１】
その後、図１に示すように、ギロチン、上刃スライド装置、レーザカット装置、レーザーカッター等の断裁装置５１によって所定のサイズに断裁され、さらにその後、外周封止処理が施されて、所望の電気泳動表示装置の製造が完了する。
【００３２】
以上のように、本実施の形態によれば、ヒートシール剤２２を接着層として用いることにより、簡便なプロセスでありながらセル形成のための隔壁１２と他方の基板１６との接着を好適に実施できる。また、ヒートシール剤２２を熱転写する際に転写フィルム２０を用いることにより、隔壁１２上への高精度のアライメントが不要である一方、隔壁１２頂面のみに確実にヒートシール剤２２を熱転写できる。
【００３３】
また、接着層として熱転写されたヒートシール剤２２は、熱可塑性材料からなる場合においては、常温においてはタック、すなわちねばつきが無いため、取り扱いの便宜が極めて良い。また、タックが無いことによって、その後の表示媒体配置工程が容易である。具体的には、スキージあるいはドクターブレード、ドクターナイフ等を用いて表示媒体を配置しても、表示媒体がヒートシール剤２２と接着してしまうことがない。
【００３４】
以上のような製造方法で製造される本発明の一実施の形態の電気泳動表示装置を、図７を用いて説明する。図７（ａ）は、一方の基板１１の上面の各種の電極と、隔壁１２と、を透かすように示した平面図であり、図７（ｂ）は、図７（ａ）のＡ−Ｂ線断面図である。
【００３５】
図７（ａ）及び図７（ｂ）において、一方の基板１１の上面に各セルに対応するように形成される画素電極１０１は、透明な材料であるＩＴＯからなっており、数ｎｍ〜１μｍの厚みで、スパッタ法やフォトリソ法で形成されるものである。一方、ゲート電極１０２は、不透明なＡｌからなっており、数ｎｍ〜１μｍの厚みで、スパッタ法やフォトリソ法で形成されるものである。また、ソースドレイン電極１０３は、不透明なＡｕからなっており、数ｎｍ〜３００ｎｍの厚みで、蒸着法やフォトリソ法で形成されるものである。また、層間絶縁膜２０１及びゲート絶縁膜２０２は、それぞれ、透明な樹脂製で、０．１μｍ〜２０μｍの厚みで、塗布法やフォトリソ法で形成される。３０１は、不透明な半導体であり、印刷法により形成される。また、一方の基板１１、隔壁１２及び他方の基板１６は、いずれも透明であり、他方の基板１６上に設けられた電極（対向電極）１０４も透明であり、隔壁１２は画素電極１０１上にも形成されている。
【００３６】
そして、図７の電気泳動表示装置では、透明な一方の基板１１、透明な画素電極１０１及び／または透明な層間絶縁膜２０１及び／または透明なゲート絶縁膜２０２及び／または透明な隔壁１２、他方の基板上の透明な電極１０４，透明な他方の基板１６が重なってなる透明積層部分が、全面積に対して３０％以上を占めている。このような条件は、隔壁１２及び画素電極１０１を透明材料で構成して、隔壁１２が表示部中に占める面積割合を比較的大きくすることで、また、一方の基板１１上に形成された各種の電極のうち不透明なものであるゲート電極１０２とソースドレイン電極１０３と半導体３０１と表示媒体とが平面視で重なるように設計することで、達成可能である。もっとも、隔壁１２の面積割合を大きくし過ぎると、表示媒体による表示部が小さくなり過ぎるので、両者のバランスは表示内容等に依存して設計されることが好ましい。透明積層部分が全面積に対して３０％以上を占める、という構成は、本件発明者の検討によって初めて実現したものである。
【００３７】
図７に示すような電気泳動表示装置は、透明な表示装置として、例えばショーウィンドウやコンビニの窓に貼られる光透過性表示装置として用いられ得る。
【００３８】
なお、前記した透明積層部分の面積割合は、以下のようにして評価した。すなわち、光学顕微鏡を用いて一画素領域をデジタルカメラを用いて撮影し、得られたデジタル画像において一画素分の面積Ｓｐ及び透明積層部分の面積Ｓｔをピクセル数として計測し、Ｓｔ÷Ｓｐ×１００（％）を面積割合として評価した。
【００３９】
電気泳動表示装置の透明性を示す指標としては、ＪＩＳ−Ｋ７３６１に基づく一方の基板から他方の基板までの全光線透過率を用いることもできる。電気泳動表示装置が透明な表示装置として利用可能であるためには、ＪＩＳ−Ｋ７３６１に基づく一方の基板から他方の基板までの全光線透過率が３０％以上であることが好ましい。そして、そのような条件を満たす構成は、前記した通り、隔壁１２及び画素電極１０１を透明材料で構成して、隔壁１２が表示部中に占める面積割合を比較的大きくすることで、また、一方の基板１１上に形成された各種の電極のうち不透明なものであるゲート電極１０２とソースドレイン電極１０３と半導体３０１と表示媒体とが平面視で重なるように設計することで、達成可能である。ＩＳ−Ｋ７３６１に基づく一方の基板から他方の基板までの全光線透過率が３０％以上である、という構成は、本件発明者の検討によって初めて実現したものである。
【００４０】
ＪＩＳ−Ｋ７３６１に基づく全光線透過率は、例えば、日本電色工業株式会社製のＮＤＨ４０００という測定装置によって測定可能である。測定エリアは、例えば直径６ｍｍである。
【００４１】
あるいは、電気泳動表示装置の透明性を示す指標としては、ＪＩＳ−Ｋ７１３６に基づくヘイズを用いることもできる。電気泳動表示装置が透明な表示装置として利用可能であるためには、ＪＩＳ−Ｋ７１３６に基づくヘイズが、１．７％以下であることが好ましい。そして、そのような条件を満たす構成は、前記した通り、隔壁１２及び画素電極１０１を透明材料で構成して、隔壁１２が表示部中に占める面積割合を比較的大きくすることで、また、一方の基板１１上に形成された各種の電極のうち不透明なものであるゲート電極１０２とソースドレイン電極１０３と半導体３０１と表示媒体とが重なるように設計することで、達成可能である。ＪＩＳ−Ｋ７１３６に基づくヘイズが１．７％以下である、という構成は、本件発明者の検討によって初めて実現したものである。
【００４２】
ＪＩＳ−Ｋ７１３６に基づくヘイズも、例えば、日本電色工業株式会社製のＮＤＨ４０００という測定装置によって測定可能である。測定エリアは、例えば直径６ｍｍである。
【００４３】
次に、前述したような製造方法で製造される本発明の他の実施の形態の電気泳動表示装置を、図８を用いて説明する。図８（ａ）は、図７（ａ）と同様に、一方の基板１１の上面の各種の電極と、隔壁１２と、を透かすように示した平面図であり、図８（ｂ）は、図７（ｂ）と同様に、図８（ａ）のＡ−Ｂ線断面図である。
【００４４】
図８（ａ）及び図８（ｂ）において、一方の基板１１の上面に各セルに対応するように形成される画素電極１０１Ｎは、不透明な金属材料からなっており、数ｎｍ〜１μｍの厚みで、スパッタ法やフォトリソ法で形成される（校閲用注釈：ご確認をお願いいたします）ものである。ゲート電極１０２は、不透明なＡｌからなっており、数ｎｍ〜１μｍの厚みで、スパッタ法やフォトリソ法で形成されるものである。また、ソースドレイン電極１０３は、不透明なＡｕからなっており、数ｎｍ〜３００ｎｍの厚みで、蒸着法やフォトリソ法で形成されるものである。また、層間絶縁膜２０１及びゲート絶縁膜２０２は、それぞれ、透明な樹脂製で、０．１μｍ〜２０μｍの厚みで、塗布法やフォトリソ法で形成される。３０１は、不透明な半導体であり、印刷法により形成される。また、一方の基板１１、隔壁１２及び他方の基板１６は、いずれも透明であり、他方の基板１６上に設けられた電極（対向電極）１０４も透明であり、隔壁１２は画素電極１０１Ｎ上には形成されていない。
【００４５】
そして、図８の電気泳動表示装置では、透明な一方の基板１１、透明な層間絶縁膜２０１、透明なゲート絶縁膜２０２、透明な隔壁１２、他方の基板上の透明な電極１０４，透明な他方の基板１６が重なってなる透明積層部分が、全面積に対して３０％以上を占めている。このような条件は、隔壁１２を透明材料で構成して、隔壁１２が表示部中に占める面積割合を比較的大きくすることで、また、一方の基板１１上に形成された各種の電極のうち不透明なものである画素電極１０１Ｎとゲート電極１０２とソースドレイン電極１０３と半導体３０１と表示媒体とが重なるように設計することで、達成可能である。もっとも、隔壁１２の面積割合を大きくし過ぎると、表示媒体による表示部が小さくなり過ぎるので、両者のバランスは表示内容等に依存して設計されることが好ましい。透明積層部分が全面積に対して３０％以上を占める、という構成は、本件発明者の検討によって初めて実現したものである。
【００４６】
図８に示すような電気泳動表示装置も、透明な表示装置として、例えばショーウィンドウやコンビニの窓に貼られる光透過性表示装置として用いられ得る。
【００４７】
次に、本発明の製造対象としての電気泳動表示装置の各部材の材料ないし特性等について、さらに詳しく補足する。
【００４８】
一方の基板１１としては、透明樹脂フィルム、透明樹脂板、透明ガラス、透明エポキシガラス（ガラエポ）等の表面に金属等の導電性材料によって各種の電極が形成されたものが用いられ得る。
【００４９】
一方の基板１１の厚みは、１０μｍ〜２０００μｍが好適である。１０μｍよりも薄いと、パネルとしての強度を得ることができず、破損に至る危険度が増す一方、２ｍｍよりも厚いと、パネル重量が重くなり過ぎて取り扱いが不便になるし、コストも高くなるからである。
【００５０】
破損しにくく取り扱いが容易である好適な厚みの範囲は、５０μｍ〜１０００μｍ程度である。
【００５１】
一方の基板１１の表面には、メッキ処理による酸化防止処理が施されてもよい。また、一方の基板１１の裏面（外側）には、透明バリア層が設けられてもよい。バリア層の機能は、インキが水分を吸着することによる表示劣化を防止することである。バリア層は、無機膜を蒸着することで得られる。あるいは、予めバリア層が形成されたフィルムが貼り合わせられてもよい。
【００５２】
一方の基板１１の電極パターンの形成は、フォトリソ法、レーザ描画法、インクジェット法、スクリーン印刷法、フレキソ印刷法、等によって適宜に行われ得る。一方の基板１１として、ＴＦＴ基板が用いられてもよい。電極パターンの一部として形成される絶縁層としては、オレフィンやアクリルなどの樹脂、または、ＳｉＯｘやＳｉＮｘなどの無機酸化物・窒化物が用いられ得る。
【００５３】
一方の基板１１は、ロール状でもシート状でもどちらでも適用可能である。
【００５４】
隔壁１２は、透明な紫外線硬化樹脂、透明な熱硬化樹脂、透明な常温硬化樹脂等によって構成可能であり、前述のように、５〜５０μｍの厚みに形成されることが好適である。５μｍ以下では、充填するインキ量が少なく、十分な表示特性、特にコントラストが得られない一方、１００μｍ以上では、パネルの厚みが厚すぎて、駆動電圧が上昇し過ぎてしまう。低駆動電圧で良好な表示特性が得られるという観点から、１０〜５０μｍの範囲の厚みが好適である。
【００５５】
隔壁１２のパターン形状は、円、格子、多角形など、基本的に任意である。開口率は、７０％以上が好ましく、特に９０％以上が好ましい。高開口率であるほど、表示可能エリアが広くなるため、高コントラストを得ることができる。
【００５６】
隔壁１２の形成方法は、フォトリソグラフィ法の他、エンボス加工などの型転写方法も採用され得る。さらに、メッシュ加工の構造物を隔壁として製造しておいて、それを一方の基板１１に貼り付けるという方法も採用され得る。
【００５７】
ヒートシール剤２２としては、熱可塑性材料を用いたものが好ましく、加熱により軟化して、冷却すると固化する性質を有し、冷却と加熱を繰り返した場合に、塑性が可逆的に保たれる材料である。熱可塑性材料からなるヒートシール剤を接着層として用いた場合には、転写フィルム基材上の固化しているヒートシール剤をその軟化温度を超える温度にまで加熱することにより軟化させて、隔壁頂面のみに確実にヒートシール剤を熱転写できる。また、熱転写後のヒートシール剤は常温まで冷却して再び固化することにより、タックが無くなるため、取り扱いの便宜が極めて良い。また、タックが無いことによって、セル内に充填された表示媒体がヒートシール剤と接着してしまうことがない。そして、再び隔壁頂面のヒートシール剤をその軟化温度を超える温度にまで加熱して軟化させることにより、タックを有するようになるため、他方の基板が確実に接着される。他方の基板の接着後のヒートシール剤は、再び常温においてはタック（ねばつき）が無いため、やはり表示媒体がヒートシール剤と接着してしまうことがなく、表示品質の低下のおそれもない。具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した透明な樹脂が主に使用される。
【００５８】
隔壁１２とヒートシール剤２２との密着性を上げるために、隔壁１２に紫外線照射やプラズマ処理などにより表面処理が施されてもよいし、プライマーが形成されてもよい。あるいは、ヒートシール剤２２の方にシランカップリング剤が添加されてもよい。
【００５９】
他方の基板１６としては、ＰＥ、ＰＥＴ、ＰＥＳ、ＰＥＮ等の透明フィルムに、ＩＴＯ、ＺｎＯ等の透明電極を付したものが、典型的に用いられ得る。透明電極は、塗工法や蒸着法等によって形成され得る。
【００６０】
他方の基板１６の厚みも、一方の基板１１の厚みと同様に、１０μｍ〜２０００μｍが好適である。１０μｍよりも薄いと、パネルとしての強度を得ることができず、破損に至る危険度が増す一方、２ｍｍよりも厚いと、パネル重量が重くなり過ぎて取り扱いが不便になるし、コストも高くなるからである。破損しにくく取り扱いが容易である好適な厚みの範囲は、５０μｍ〜１０００μｍ程度である。
【００６１】
他方の基板１６には、更なる機能層が付加され得る。例えば、他方の基板１６の表面に、バリアフィルムが貼付され得る。予め透明無機膜のバリア層が蒸着等で形成された透明フィルムが他方の基板１６として採用されても、これと同様の機能を発揮できる。あるいは、他方の基板１６の表面に、紫外線カットフィルムが貼付され得る。他方の基板１６の表面に他の紫外線カット処理が施されても、これと同様の機能を発揮できる。その他の表面コート層として、ＡＧ層（防眩層）、ＨＣ層（傷防止層）、ＡＲ層（反射防止層）などが付加され得る。
【００６２】
他方の基板１６も、ロール状でもシート状でもどちらでも適用可能である。
【００６３】
外周封止剤は、紫外線硬化樹脂の他に、熱硬化樹脂、常温硬化樹脂、ヒートシール樹脂等によっても構成可能である。それらは、ディスペンサによって、あるいは、各種の印刷法によって、あるいは、熱圧着によって、両方の基板１１，１６の周辺に適用される。
【００６４】
また、本発明に従う電気泳動表示装置において、いわゆる筐体の部分も透明であることが好ましいことは、言うまでもない。
【００６５】
次に、実際に行われた実施例と比較例について説明する。
【００６６】
＜実施例１＞
一方の基板１１として、３１０ｍｍ×４１０ｍｍ×厚さ０．５ｍｍの透明な無アルカリガラス（日本電気硝子製ＯＡ−１０Ｇ）に、図７を参照して説明した各種電極が形成されたものが用いられた。
【００６７】
次に、当該一方の基板１１に、透明なネガ型感光性樹脂材料（ＪＳＲ社製、ＮＮ７００）を印刷法により塗布、乾燥し、塗布膜を形成した。次に、露光マスク越しに、塗布膜に超高圧水銀ランプを用いて紫外線を照射し、塗布膜を０．０５ｗｔ％水酸化カリウム水溶液（液温２３℃）を用いてアルカリ現像した。最後に、２００℃、３０分間の条件で焼成した。これらを２回繰り返した。これにより厚さ２０μｍの図７に示すような格子状パターンの隔壁１２が形成された。
【００６８】
そして、転写フィルム基材２１として厚さ５０μｍのポリエチレンテレフタレート（ＰＥＴ）フィルム（帝人・デュポン社製）が用いられ、これに透明なヒートシール剤２２（東洋紡製バイロン６３０）が厚さ１０μｍでダイコータにて塗布され、乾燥された。これにより、１０μｍの透明な接着層２２を有するロール状の転写フィルム２０が作製された。
【００６９】
そして、隔壁１２の上面に転写フィルム２０が載せられた状態で、１ｋＰａ程度の押圧力をさらに付与しつつ、ヒートシール剤２２の周辺がその軟化温度を超える温度、例えば１２０℃程度にまで加温され、その結果、厚さ５μｍのヒートシール剤２２が隔壁１２の頂面の全面に熱転写された。この場合の熱転写率は、５μｍ／１０μｍ＝５０％ということになる。
【００７０】
続いて、表示媒体として、以下の成分を有するインキ１３が用いられ、ディスペンサ３１から滴下されて、中央スキージ３２（ニューロング製のスキージ１：ウレタン樹脂製）にてスキージ処理されて、各セル内に充填された。基板幅方向にはみ出した余剰インキは、別の両端スキージ３３ａ、３３ｂ（ニューロング製のスキージ２：ウレタン樹脂製）にて掻き取られ、さらにロールワイパ３４にて拭き取られた。
【００７１】
＜インキ成分＞
・電気泳動粒子（二酸化チタン）・・・６０重量部
・分散液                      ・・・４０重量部
続いて、隔壁パターン外周の一部（２ｍｍ×２ｍｍの正方形領域）に、銀ペースト（藤倉化成製）がディスペンサ４１によって点塗布された。
【００７２】
次いで、他方の基板１６として、３００ｍｍ×４００ｍｍ×厚さ０．５５ｍｍの透明な無アルカリガラス（日本電気硝子製ＯＡ−１０Ｇ）に、透明電極として厚さ０．２μｍの酸化インジウムスズ（ＩＴＯ）蒸着膜が設けられた基板が用意された。透明電極は、スパッタリング、真空蒸着法、ＣＶＤ法などの一般的な成膜方法によって形成され、酸化インジウムスズ（ＩＴＯ）の他に、酸化亜鉛（ＺｎＯ）、酸化スズ（ＳｎＯ）等によっても形成され得る。
【００７３】
そして、大気中にて、一方の基板１１の隔壁１２上の接着層２２の上に他方の基板１６を配置し、重ね合わせて一定の熱圧着圧力をさらに付与しつつ、隔壁１２内のセル容積を超える余剰のインクを押し出しながら、一方の基板１１の隔壁１２と他方の基板１６とが密着された（図６参照）。熱圧着時の温度は、１２０℃であった。また、熱圧着圧力は、０．１ＭＰａであった。
【００７４】
その後、所定のサイズに断裁され、両方の基板１１，１６の周辺にディスペンサ（不図示）を用いて紫外線硬化樹脂（イー・エッチ・シー（株）製：ＬＣＢ−６１０）を塗工して封止し、紫外線を露光（露光量７００ｍＪ／ｃｍ２  ）して硬化させた（外周封止処理）。以上により表示パネルが作製された。
【００７５】
以上のようにして得られた表示パネルについて、光透過性表示装置としての性能を評価したが、良好であった。すなわち、表示パネルの裏面側の背景が十分に透けて見えた。具体的には、ＪＩＳ−Ｋ７３６１に基づく一方の基板から他方の基板までの全光線透過率が３０％以上であった。また、ＪＩＳ−Ｋ７１３６に基づくヘイズは、１．７％以下であった。隔壁１２が不透明な材料である構成とした従来構成の電気泳動表示装置では、裏面側の背景が透けて見えるということはない。
【００７６】
＜実施例２＞
一方の基板１１として、３１０ｍｍ×４１０ｍｍ×厚さ０．５ｍｍの透明な無アルカリガラス（日本電気硝子製ＯＡ−１０Ｇ）に、図８を参照して説明した各種電極が形成されたものが用いられた。
【００７７】
次に、当該一方の基板１１に、透明なネガ型感光性樹脂材料（ＪＳＲ社製、ＮＮ７００）を印刷法により塗布、乾燥し、塗布膜を形成した。次に、露光マスク越しに、塗布膜に超高圧水銀ランプを用いて紫外線を照射し、塗布膜を０．０５ｗｔ％水酸化カリウム水溶液（液温２３℃）を用いてアルカリ現像した。最後に、２００℃、３０分間の条件で焼成した。これらを２回繰り返した。これにより厚さ２０μｍの図8に示すような格子状パターンの隔壁１２が形成された。
【００７８】
その他については、実施例１と同様にして、表示パネルが作製された。
【００７９】
このようにして得られた表示パネルについて、光透過性表示装置としての性能を評価したが、良好であった。すなわち、表示パネルの裏面側の背景が十分に透けて見えた。具体的には、ＪＩＳ−Ｋ７３６１に基づく一方の基板から他方の基板までの全光線透過率が３０％以上であった。また、ＪＩＳ−Ｋ７１３６に基づくヘイズは、１．７％以下であった。隔壁１２が不透明な材料である構成とした従来構成の電気泳動表示装置では、裏面側の背景が透けて見えるということはない。
【符号の説明】
【００８０】
１１  一方の基板（バックプレーン基材）
１２  隔壁
１３  インキ（表示媒体）
１６  他方の基板（フロントプレーン基材）
２０  転写フィルム
２１  転写フィルム基材
２２  ヒートシール剤（接着層）
３１  ディスペンサ
３２  中央スキージ（スキージ１）
３３ａ、３３ｂ  両端スキージ（スキージ２）
３４  ロールワイパ
４１  ディスペンサ
５１  断裁装置
９１  ラミネータ
９２  ホットプレート
９３  金属片
１０１  透明な画素電極
１０１Ｎ  不透明な画素電極
１０２  ゲート電極
１０３  ソースドレイン電極
２０１  層間絶縁膜
２０２  ゲート絶縁膜
３０１  半導体
【図１】
2013210536.tif 000003
【図２】
2013210536.tif 000004
【図３】
2013210536.tif 000005
【図４】
2013210536.tif 000006
【図５】
2013210536.tif 000007
【図６】
2013210536.tif 000008
【図７】
2013210536.tif 000009
【図８】
2013210536.tif 000010